(57)【特許請求の範囲】
【請求項１】
遊技球が打ち出される遊技領域が設けられた遊技盤を備える遊技機において、
前記遊技盤の盤面および当該遊技盤を支持する支持部材の少なくともいずれかの経時的な曲率変動量を連続して検出する検出手段と、
前記検出手段による検出結果に基づいて、一連の曲率変動の開始から終了までの時間幅を計時する計時手段と、
前記一連の曲率変動における曲率変動量の最大値が所定閾値を超えるか否かを判断し、当該所定閾値を超える場合に、前記計時手段による計時結果に基づいて、前記時間幅が所定時間以上であるか否かを判断する判断手段と、
前記判断手段によって判断された判断結果を出力する出力手段と、
を備えることを特徴とする遊技機。
【請求項２】
前記検出手段は、略円板形状のユニモルフ圧電素子またはバイモルフ圧電素子と、前記ユニモルフ圧電素子またはバイモルフ圧電素子から出力された電圧値のインピーダンス変換をおこなうインピーダンス変換素子と、を備えていることを特徴とする請求項１に記載の遊技機。
【請求項３】
前記遊技領域に遊技球を打ち出す打出手段を備え、
前記打出手段は、前記出力手段によって出力された出力結果に基づいて、前記遊技球の打ち出し動作を停止させることを特徴とする請求項１または２に記載の遊技機。
【請求項４】
所定の演出をおこなう演出手段を備え、
前記演出手段は、前記出力手段によって出力された出力結果に基づいて、異常報知用の演出を実行することを特徴とする請求項１または２に記載の遊技機。
【請求項５】
遊技球が打ち出される遊技領域が設けられた遊技盤を備える遊技機における前記遊技盤の異常を検出する異常検出方法であって、
前記遊技盤の盤面および当該遊技盤を支持する支持部材の少なくともいずれかの曲率変動量を連続して検出する検出工程と、
前記検出工程による検出結果に基づいて、一連の曲率変動の開始から終了までの時間幅を計時する計時工程と、
前記一連の曲率変動における曲率変動量の最大値が所定閾値を超えるか否かを判断し、当該所定閾値を超える場合に、前記計時工程による計時結果に基づいて、前記時間幅が所定時間以上であるか否かを判断する判断工程と、
前記判断工程によって判断された判断結果を出力する出力工程と、
を含むことを特徴とする異常検出方法。
【発明の詳細な説明】
【技術分野】
【０００１】
この発明は、遊技球が打ち出される遊技領域が設けられた遊技盤を備える遊技機、当該遊技機における異常を検出する異常検出方法に関する。
【背景技術】
【０００２】
従来、遊技球が打ち出される遊技領域が設けられた遊技盤を備える遊技機がある。遊技盤はたとえばガラス板が嵌め込まれた枠部材（以下、「ガラス枠」という）にカバーされており、遊技領域は遊技盤の盤面とガラス枠との間に設けられている。遊技機は、遊技領域に打ち出された遊技球が所定の入賞口に入賞すると、入賞に応じた賞球を払い出す。
【０００３】
このような遊技機では、ガラス枠をこじ開けて遊技盤とガラス枠との間に隙間をつくり、この隙間から所定の入賞口に遊技球を入賞させる不正行為が横行している。ガラス枠をこじ開けるためには大きな力を要し、遊技機に大きな力を加えると少なからず遊技機に振動が生じる。遊技機の振動を検出する従来技術としては、たとえば下記特許文献１に記載された技術などがあった。
【０００４】
【特許文献１】特開２００２−１１９７４４号公報
【発明の開示】
【発明が解決しようとする課題】
【０００５】
しかしながら、ガラス枠をこじ開ける行為（以下、「こじ開け行為」という）は音をたてないようにゆっくりおこなわれるため遊技機が振動しにくく、上述した従来技術では、たとえば叩かれるなどして短時間の間に加えられた衝撃による遊技機の振動の検出に適しているが、こじ開け行為を検出しにくいという問題があった。
【０００６】
また、上述した従来技術では検知できる振動の方向が限られており、振動の方向によっては検知できない場合があるという問題があった。加えて上述した従来の技術では、こじ開け行為を発見し防止するために従業員が店舗内を高頻度で巡回したり遊技者の周辺に立っていたりすれば、遊技者に「監視されている」という圧迫感や不快感を与えてしまうという問題があった。
【０００７】
この発明は、上述した従来技術による問題点を解消するため、正常に遊技をおこなっている遊技者に不快感を与えたり遊技に支障をきたしたりすることなく不正行為が疑われる遊技機を発見しやすくし、あるいは不正を抑制することができる遊技機および異常検出方法を提供することを目的とする。
【課題を解決するための手段】
【０００８】
上述した課題を解決し、目的を達成するため、この発明にかかる遊技機は、遊技球が打ち出される遊技領域が設けられた遊技盤を備える遊技機において、前記遊技盤の盤面および当該遊技盤を支持する支持部材の少なくともいずれかの経時的な曲率変動量を連続して検出する検出手段と、前記検出手段による検出結果に基づいて、一連の曲率変動の開始から終了までの時間幅を計時する計時手段と、前記計時手段による計時結果に基づいて、前記時間幅が所定時間以上であるか否かを判断する判断手段と、前記判断手段によって判断された判断結果を出力する出力手段と、を備えることを特徴とする。この発明によれば、所定時間以上をかけて遊技盤および当該遊技盤を支持する支持部材の少なくともいずれかが変形したことを精度よく検出することができる。
【０００９】
また、この発明にかかる遊技機は、上記の発明において、前記判断手段が、さらに前記一連の曲率変動における曲率変動量の最大値が所定閾値を超えるか否かを判断し、当該所定閾値を超える場合に前記時間幅が所定時間以上であるか否かを判断することを特徴とする。この発明によれば、こじ開けなどの不正行為が疑われる程度に遊技盤および当該遊技盤を支持する支持部材の少なくともいずれかが変形したことを精度よく検出することができる。
【００１０】
また、この発明にかかる遊技機は、上記の発明において、前記検出手段が、略円板形状のユニモルフ圧電素子またはバイモルフ圧電素子と、前記ユニモルフ圧電素子またはバイモルフ圧電素子から出力された電圧値のインピーダンス変換をおこなうインピーダンス変換素子と、を備えていることを特徴とする。この発明によれば、遊技盤の盤面および当該遊技盤を支持する支持部材の少なくともいずれかの湾曲方向に拘わらず所定の時間以上をかけて遊技盤および当該遊技盤を支持する支持部材の少なくともいずれかが変形したことをユニモルフ圧電素子またはバイモルフ圧電素子単体で検出することができるので、構成の簡易化を図りつつ所定時間以上をかけて遊技盤および当該遊技盤を支持する支持部材の少なくともいずれかが変形したことを精度よく検出することができる。
【００１１】
また、この発明にかかる遊技機は、上記の発明において、前記遊技領域に遊技球を打ち出す打出手段を備え、前記打出手段は、前記出力手段によって出力された出力結果に基づいて、前記遊技球の打ち出し動作を停止させることを特徴とする。この発明によれば、こじ開けあるいはこじ開けによる不正がおこなわれている可能性がある遊技機における遊技の進行を規制することができる。
【００１２】
また、この発明にかかる遊技機は、上記の発明において、所定の演出をおこなう演出手段を備え、前記演出手段は、前記出力手段によって出力された出力結果に基づいて、異常報知用の演出を実行することを特徴とする。この発明によれば、不正がおこなわれている可能性がある遊技機を当該遊技機の周囲に意識させることなく、遊技機を設置した店舗の店員などにそれとなく知らしめることができる。
【００１３】
また、この発明にかかる異常検出方法は、遊技球が打ち出される遊技領域が設けられた遊技盤を備える遊技機における前記遊技盤の異常を検出する異常検出方法であって、前記遊技盤の盤面および当該遊技盤を支持する支持部材の少なくともいずれかの曲率変動量を連続して検出する検出工程と、前記検出工程による検出結果に基づいて、一連の曲率変動の開始から終了までの時間幅を計時する計時工程と、前記計時工程による計時結果に基づいて、前記時間幅が所定時間以上であるか否かを判断する判断工程と、前記判断工程によって判断された判断結果を出力する出力工程と、を含むことを特徴とする。この発明によれば、所定時間以上をかけて遊技盤および当該遊技盤を支持する支持部材の少なくともいずれかが変形したことを精度よく検出することができる。
【発明の効果】
【００１４】
この発明にかかる遊技機および異常検出方法によれば、正常に遊技をおこなっている遊技者に不快感を与えたり遊技に支障をきたしたりすることなく不正行為が疑われる遊技機を発見しやすくし、あるいは不正を抑制することができるという効果を奏する。
【発明を実施するための最良の形態】
【００１５】
以下に添付図面を参照して、この発明にかかる遊技機、および遊技機における異常検出方法の好適な実施の形態を詳細に説明する。
【００１６】
（遊技機の基本構成）
はじめに、この発明の遊技機の一例について説明する。図１−１〜図１−９は、この発明の遊技機の一例を示す説明図である。図１−１〜図１−９において、この発明の遊技機は、遊技盤１０１を備えている。遊技盤１０１の盤面には、表示部１０２が設けられている。表示部１０２は、たとえば、遊技球が特定の入賞口（始動入賞口１０３）に入賞するごとに、複数（たとえば３つ）の図柄を順次切り替えながら表示し、所定時間後に図柄の切り替えを停止する処理をおこなう。
【００１７】
表示部１０２は、演出制御基板に設けられた演出制御部によって駆動制御されることによって所定の画像を表示する。演出制御基板および演出制御部については後述する。表示部１０２は、たとえばＬＣＤ（Ｌｉｑｕｉｄ  Ｃｒｙｓｔａｌ  Ｄｉｓｐｌａｙ）などによって構成することが可能である。
【００１８】
遊技機は、遊技球が特定の入賞口（始動入賞口１０３）に入賞するごとに大当たり判定をおこない、当該大当たり判定結果に応じて適宜大当たり状態を発生させる。そして、たとえば大当たり状態の発生時には、表示部１０２に特定図柄（たとえば「７」が一直線上に３つ揃った「７７７」など）を表示し、つづいて所定の大当たり演出をおこなう。所定の大当たり演出は、遊技盤１０１の下部位置に設けられた大入賞口１０１ａを開閉したり、表示部１０２に大当たり演出用の画像を表示したり、スピーカから大当たり演出用の音声を出力したりする。
【００１９】
遊技盤１０１において大入賞口１０１ａの下部位置には、球送り出し機構部１１１が配置されている。球送り出し機構部１１１は、遊技のための遊技球を発射するものであり、球送り出し機構部１１１の駆動によって発射された遊技球は、レール１０４ａ，１０４ｂ間を上昇して遊技盤１０１の上部位置を経由して、遊技領域１０５内に達する。球送り出し機構部１１１は、遊技領域１０５内に向けて遊技球を打ち出すためのソレノイド１１１ａなどを備えており、ソレノイド１１１ａへの通電があるごとに遊技領域１０５内に遊技球を間欠的に打ち出すことで、遊技盤１０１の遊技領域１０５に遊技球を発射する。
【００２０】
遊技領域１０５内には、複数の釘や風車（いずれも図示を省略する）などが設けられており、遊技領域１０５内に達した遊技球は釘や風車などによって各種の方向に向けて落下する。また、遊技領域１０５内には、遊技球の通過を検出する入賞ゲート１０６が配設されている。遊技球が入賞ゲート１０６を通過したことが検出されると、始動入賞口１０３が一定時間だけ開放される。
【００２１】
また、遊技領域１０５内には、普通入賞口１０７が配設されている。遊技領域１０５内を落下途中の遊技球は、それぞれ、落下経路に応じて、始動入賞口１０３や普通入賞口１０７に落下する。遊技機は、遊技球が始動入賞口１０３や普通入賞口１０７などに入賞した場合に、賞球払出装置を制御することによって、入賞位置に応じた所定個数の賞球を払い出す。遊技領域１０５の最下部には、始動入賞口１０３にも普通入賞口１０７にも入賞しなかった遊技球を回収する回収口１０８が設けられている。
【００２２】
また、遊技領域１０５内には、演出用のＬＥＤ（Ｌｉｇｈｔ  Ｅｍｉｔｔｉｎｇ  Ｄｉｏｄｅ）や、演出用の役物が設けられている（いずれも図示を省略する）。演出用のＬＥＤは、演出制御部によって制御されて点灯あるいは点滅する。演出用の役物は、図示を省略するモータなどによって動作するように構成されており、演出制御部によって制御されるモータの動力によって動作する。
【００２３】
遊技盤１０１の遊技領域１０５の外周部分には、ガラス枠１１０が設けられている。ガラス枠１１０は、遊技盤１０１の上下左右の４辺において遊技領域１０５の周囲を囲む形状を有している。また、ガラス枠１１０の前面側（遊技者側）は、遊技盤１０１の盤面から遊技者側に突出する形状とされている。これにより、この実施の形態の遊技機を、ガラス枠１１０を備えていない他機種の遊技機よりも目立たせることができる。そして遊技機を目立たせることにより、遊技機に対する不正行為に対する抑止力の強化を図ることができる。
【００２４】
ガラス枠１１０には、ハンドル１０９が取り付けられている。ハンドル１０９は、遊技盤１０１の下端部よりも下部位置に配置され、遊技盤１０１の盤面位置から遊技機の前面側（遊技者側）に突出している。ハンドル１０９は、遊技者によって操作されて、操作されている間、ソレノイド１１１ａに通電をおこなって球送り出し機構部１１１に遊技球を発射させる。球送り出し機構部１１１は、ハンドル１０９の操作量（回動角度）に応じて遊技球を発射する勢いを変化させる。
【００２５】
またガラス枠１１０には、球送り出し機構部１１１が取り付けられている。球送り出し機構部１１１は、ガラス枠１１０の裏面であって、受け皿１１２の背面となる位置に設けられている。受け皿１１２と球送り出し機構部１１１とは、球通路レール１１３によって連通されている。球通路レール１１３は、受け皿１１２側よりも球送り出し機構部１１１側が低くなるように傾斜しており、受け皿１１２から球送り出し機構部１１１に向かって遊技球が１つずつ並んだ状態で移動するように構成されている。これにより球送り出し機構部１１１は、受け皿１１２から送られてきた遊技球を１つずつ発射することができる。球送り出し機構部１１１が発射した遊技球は、遊技盤１０１（における遊技領域１０５）とガラス枠１１０との間に形成される空間内を落下する。
【００２６】
ガラス枠１１０は、遊技盤１０１の前面側（遊技者側）を覆うガラス板１１４を支持している。ガラス板１１４は、ガラス枠１１０の裏面側に複数箇所（たとえば３箇所）設けられたガラス板固定フック１１５によって、ガラス枠１１０の背面側に固定されている。ガラス板１１４は、ガラス板固定フック１１５によってガラス枠１１０に対して着脱可能に固定されている。ガラス枠１１０の裏面側には鉄板１１６が取り付けられており、これによってガラス枠１１０の強度を高めることができる。
【００２７】
またガラス枠１１０は、左右方向の一端側（たとえば遊技機に正対して左側）において連結機構部１１８を介して外枠（機枠）１１７に連結されており、連結機構部１１８を支点として左右方向の他端側（たとえば遊技機に正対して右側）を外枠１１７から接離させる方向に回動可能とされている。ガラス枠１１０は、ガラス板１１４とともに遊技盤１０１を覆い、連結機構部１１８を支点として扉のように回動することによって、遊技盤１０１を含む外枠１１７の内側部分を開放することができる。ガラス枠１１０の他端側には、ガラス枠１１０の他端側を外枠１１７に固定するロック機構が設けられている。ロック機構による固定は、専用の鍵によって解除することが可能とされている。ガラス枠１１０は、遊技中は基本的にはロックされた状態とされ、遊技領域１０５内において遊技球が詰まった場合や遊技機のメンテナンス時など特定の状況でのみ開放される。
【００２８】
外枠１１７は、遊技盤１０１を支持する遊技盤保持枠１１９を備えている。遊技盤保持枠１１９は外枠１１７の内周側において、外周面が外枠１１７の内周面に接触（当接）するように設けられている。外枠１１７および遊技盤保持枠１１９は、遊技盤保持枠１１９によってガラス板１１４に対向するように遊技盤１０１を支持した状態で遊技盤１０１の裏面側を開放するように、前側および背面側が開放されている。外枠１１７は、たとえばアルミニウムなどの金属材料を用いて形成し、遊技盤保持枠１１９は木などを用いて形成することができる。外枠１１７および遊技盤保持枠１１９は、同じ材料を用いて形成されていてもよいし、異なる材料を用いて形成されていてもよい。また外枠１１７および遊技盤保持枠１１９は、金属材料および木などのように、それぞれが複数種類の材料を用いて形成されていてもよい。
【００２９】
外枠１１７とガラス枠１１０とは、遊技盤１０１を囲むように当接しており、これによってドライバーなどの工具あるいはその他の部材を、外枠１１７とガラス枠１１０との間に挿入することを防止している。外枠１１７には、外部端子接続用の基板、払出制御基板、スピーカ１２０、電源基板などが取り付けられている。外部端子接続用の基板、払出制御基板、電源基板などの各種基板は、それぞれ、外端ケース１２１、払出制御基板ケース１２２、電源基板カバー１２３によって覆われている。各種の制御基板をそれぞれ外端ケース１２１、払出制御基板ケース１２２、電源基板カバー１２３によって覆うことによって各種の制御基板に対して外部から不正な操作をおこないにくくして、セキュリティ性の向上を図ることができる。
【００３０】
遊技盤１０１の裏面には、主制御基板、賞球制御基板、演出制御基板などを含む基板ユニットが設けられている。各制御基板については図示を省略する。基板ユニットはケース１２４によって覆われており、これによって基板ユニットに対して外部から不正な操作をおこないにくくして、セキュリティ性の向上を図ることができる。また、遊技盤１０１の裏面側には、遊技機に給電するための電源プラグ１２５や、電源スイッチ１２６が設けられている。基板ユニットにおける主制御基板は、ＣＰＵやメモリを搭載しており主制御部を実現する。主制御基板に搭載されたメモリは、遊技機における基本動作の制御にかかるプログラムなどを記憶している。
【００３１】
また主制御基板には、主制御基板に搭載されたＣＰＵに対するデータの入出力をおこなうＩ／Ｆ（インターフェイス）が設けられている。このＩ／Ｆには始動入賞口１０３や普通入賞口１０７に入賞した遊技球を検出する各種近接センサなどが接続されており、主制御基板に搭載されたＣＰＵは各種近接センサからの出力信号に基づいて始動入賞口１０３や普通入賞口１０７における遊技球の入賞の有無を判断する。
【００３２】
主制御基板に搭載されたＣＰＵは、始動入賞口１０３や普通入賞口１０７において遊技球の入賞があったと判断した場合に、Ｉ／Ｆを介して、所定個数の賞球を払い出させる制御信号を賞球制御基板に対して出力する。賞球制御基板は、ＣＰＵやメモリを搭載しており賞球制御部を実現する。賞球制御基板に搭載されたＣＰＵは、主制御基板に搭載されたＣＰＵからの信号に基づいて、所定個数の賞球を払い出すように賞球払出装置１２７を制御する。
【００３３】
また主制御基板に搭載されたＣＰＵは、始動入賞口１０３に入賞した遊技球を検出する近接センサ（図示を省略する）からの出力信号に基づいて、遊技球が始動入賞口１０３において入賞があったと判断した場合に大当たり判定をおこなう。大当たり判定に際して、主制御基板に搭載されたＣＰＵは、遊技機の起動時から所定時間ごとに生成している乱数を用いて大当たり用判定値を取得し、取得された大当たり用判定値とあらかじめ定められた大当たり値とが一致するか否かを判定する。そして、大当たり用判定値と大当たり値とが一致する場合を大当たりとして判定し、大当たり状態を発生させるための大当たり信号をＩ／Ｆを介して演出制御基板に対して出力する。また大当たり用判定値と大当たり値とが一致しない場合をハズレとして判定し、ハズレ信号をＩ／Ｆを介して演出制御基板に対して出力する。
【００３４】
演出制御基板は、ＣＰＵやメモリを搭載しており演出制御部を実現する。演出制御基板に搭載されたメモリは、演出動作の制御にかかるプログラムなどを記憶している。演出制御基板に搭載されたＣＰＵは、主制御基板に搭載されたＣＰＵから出力された大当たり信号あるいはハズレ信号に基づいて、大当たり演出あるいはハズレ演出を実行する。たとえば演出制御基板に搭載されたＣＰＵは、大当たり演出あるいはハズレ演出に際して、表示部１０２において大当たり演出画像あるいはハズレ演出画像が表示されるように表示部１０２を駆動制御する。
【００３５】
また演出制御基板に搭載されたＣＰＵは、大当たり演出あるいはハズレ演出に際して、たとえば演出用のＬＥＤを点灯あるいは点滅させたり、演出用の役物を動作させるモータなどを駆動制御する。また演出制御基板に搭載されたＣＰＵは、大当たり演出あるいはハズレ演出に際して、たとえば表示部１０２における表示画像にあわせた音声が出力されるようにスピーカを駆動制御する。遊技盤１０１の裏面側には、主制御基板、演出制御基板、賞球払出基板（いずれも図示を省略する）などの各種制御基板に加えて、ユニモルフ圧電素子（図２−１、図２−２を参照）が設けられている。
【００３６】
（ユニモルフ圧電素子の構成および取り付け位置）
つぎに、ユニモルフ圧電素子の構成および取り付け位置について説明する。図２−１および図２−２は、ユニモルフ圧電素子を示す説明図である。図２−１および図２−２において、ユニモルフ圧電素子２１０は、薄板形状の圧電素子２１１と金属板２１２とを貼り合わせた構造を有しており、圧電素子２１１の変形（ひずみ）が生じた場合に、生じた変形量に応じた電圧値を出力する。
【００３７】
ユニモルフ圧電素子２１０における圧電素子２１１および金属板２１２は、略円板形状を有していることが好ましい。この実施の形態のユニモルフ圧電素子２１０の直径は、たとえば１０ｍｍ程度が好ましい。ユニモルフ圧電素子２１０における圧電素子２１１および金属板２１２を円板形状とすることにより、ユニモルフ圧電素子２１０を取り付けた対象部材（たとえば遊技盤１０１の盤面）がいずれの方向に湾曲した場合にも、湾曲方向に左右されることなく対象部材の曲率変動量を精度よく検出することができる。
【００３８】
ユニモルフ圧電素子２１０は、たとえば遊技盤１０１を対象部材とし、遊技盤１０１の盤面（裏面側）に金属板の板面が密着するような（遊技盤１０１と金属板２１２との接触面積が多くなるような）状態で遊技盤１０１に固定するとよい。ユニモルフ圧電素子２１０は、略円板形状の金属板の板面が遊技盤１０１の盤面に平行になるように設けられている。この場合、ユニモルフ圧電素子２１０は、遊技盤１０１の盤面の変形（ひずみ）が生じた場合に、生じた変形量に応じた電圧値を出力する。ユニモルフ圧電素子２１０の金属板２１２を遊技盤１０１に密着させて取り付けることにより、遊技盤１０１の盤面の変形量に応じた電圧値を精度よく出力させることができる。遊技盤１０１の盤面の曲率変動を検出する構成については説明を後述する（図３を参照）。
【００３９】
図２−１においては通常の遊技状態におけるユニモルフ圧電素子２１０およびその周辺を示し、図２−２においては異常検出状態におけるユニモルフ圧電素子２１０およびその周辺を示している。図２−１において、通常の遊技状態におけるユニモルフ圧電素子２１０は、遊技盤１０１の盤面に沿って平行な平面形状を維持している。これに対し、図２−２において遊技盤１０１の盤面が湾曲した異常検出状態では、遊技盤１０１の盤面の湾曲にともなってユニモルフ圧電素子２１０における金属板２１２が変形し、この金属板２１２に張り合わされている圧電素子２１１が変形した状態となる。図２−２に示した状態においては、圧電素子２１１の変形量に応じた電圧値が出力されるため、この電圧値に基づいて遊技盤１０１が変形したことを精度よく検出することができる。
【００４０】
遊技盤１０１の盤面の曲率変動の検出には、ユニモルフ圧電素子２１０に代えて、バイモルフ圧電素子を用いることも可能である。バイモルフ圧電素子は、金属板２１２の両面に薄板形状の圧電素子２１１をそれぞれ貼り合わせた構造を有しており、遊技盤１０１が変形すると遊技盤１０１の変形量に応じた電圧値を出力する。バイモルフ圧電素子においても、圧電素子２１１および金属板２１２は略円板形状を有している。なお、バイモルフ圧電素子に関しては公知の技術であるため、ここではその詳細な説明を省略する。
【００４１】
ぱちんこ遊技機などの遊技機に対しては、遊技機本体（遊技盤１０１）とガラス枠１１０との間に差し込んだバールなどを梃子として利用し、ガラス枠１１０をこじ開けて遊技盤１０１とガラス枠１１０との間に隙間をつくり、この隙間から始動入賞口１０３や大入賞口１０１ａなどに遊技球を入賞させる不正行為が横行している。
【００４２】
このようなこじ開け行為は、隙間をつくるために大きな力をかける必要があるが、その大きな力を瞬間的にかけた場合に発生する大きな音が周囲に不正行為を気付かせる原因となることを避けるため、比較的時間をかけてゆっくりおこなわれる。このため、この実施の形態においては、ユニモルフ圧電素子２１０が曲率変動を開始してから終了するまでの時間幅を計時し、計時結果に基づいて、曲率変動の開始から終了までの時間幅が所定時間以上である場合をこじ開け行為がおこなわれている（こじ開け行為がおこなわれている可能性が極めて高い）と判断する。
【００４３】
このこじ開け行為あるいはこじ開け行為をともなう不正行為を発見し防止するため、ユニモルフ圧電素子２１０の好ましい取り付け位置としては、たとえば遊技盤１０１の盤面が挙げられる。この場合、ユニモルフ圧電素子２１０は、遊技盤１０１の盤面における裏面側に、金属板の板面が密着するような状態で遊技盤１０１に固定されていることが好ましい。ユニモルフ圧電素子２１０を遊技盤１０１の裏面側に取り付けることにより、ユニモルフ圧電素子２１０の存在を遊技者に気付かせることなく、遊技盤１０１が変形したことを精度よく検出することができる。またユニモルフ圧電素子２１０を遊技盤１０１の裏面側に設けることにより、遊技領域を減らすことなく遊技盤１０１の変形を検出することができるので、遊技領域を演出のために有効に利用することができる。
【００４４】
また、ユニモルフ圧電素子２１０を遊技盤１０１に取り付ける場合、ユニモルフ圧電素子２１０は、たとえば金属板２１２の板面が遊技盤１０１の盤面に平行になるように設けられているとよい。さらに、この場合、ユニモルフ圧電素子２１０は、金属板２１２の板面が遊技盤１０１の盤面に密着した（接触面積が多くなるような）状態となるように設けられているとよい。
【００４５】
たとえばユニモルフ圧電素子２１０を遊技盤１０１の盤面の裏面側に取り付けた場合、遊技機においては、ユニモルフ圧電素子２１０から出力される電圧値に基づいて、遊技盤１０１の盤面の曲率変動を検出することができる。さらに、ユニモルフ圧電素子２１０における圧電素子２１１および金属板２１２を円板形状とすることにより、遊技盤１０１の盤面がいずれの方向に湾曲した場合にも、湾曲方向に左右されることなく遊技盤１０１の盤面の曲率変動量を精度よく検出することができる。
【００４６】
またユニモルフ圧電素子２１０の好ましい取り付け位置としては、遊技盤１０１とガラス枠１１０との接触部分あるいはその近傍が挙げられる。より具体的に、ユニモルフ圧電素子２１０の好ましい取り付け位置としては、ガラス枠１１０と外枠１１７との接触部分のうち連結機構部１１８とは反対側となる位置が挙げられる。すなわち、ユニモルフ圧電素子２１０の好ましい取り付け位置は、こじ開け行為をおこなうために利用した梃子（ドライバーやバールなど）の力が加わる部分（この実施の形態においては支点あるいは作用点の少なくともいずれかとなる部分）あるいはその周辺となる位置である。
【００４７】
ユニモルフ圧電素子２１０の好ましい取り付け位置としては、たとえばこじ開け行為の結果としておこなわれる遊技球の不正な入賞を検出するため、遊技領域に打ち出された遊技球が入賞する入賞口の近傍であってもよい。具体的には、たとえば始動入賞口１０３の近傍、始動入賞口１０３の周辺、普通入賞口１０７の近傍となる位置などが、ユニモルフ圧電素子２１０の好ましい位置として挙げられる。
【００４８】
また、ユニモルフ圧電素子２１０の好ましい取り付け位置としては、遊技球が遊技領域１０５に打ち込まれる位置から始動入賞口１０３，大入賞口１０１ａあるいは普通入賞口１０７までに遊技球が通りうる経路の裏面側となる位置なども挙げられる。なお、ユニモルフ圧電素子２１０の取り付け位置は特に限定されるものではなく、遊技盤１０１の盤面の湾曲（曲率変動）を検出できる部分であればよい。より好ましくは、遊技盤１０１の盤面の湾曲（曲率変動）を、曲率変動の開始から終了までの間安定して検出できる部分とするとよい。
【００４９】
ユニモルフ圧電素子２１０の取り付け位置は、具体的には、たとえばゴムなどのように高い弾性あるいは柔軟性を有する材料ではなく、鉄板などの金属材料を用いて形成された部材や、木あるいは合板を用いて形成された部材上の位置とするとよい。これによって、ユニモルフ圧電素子２１０によって遊技盤１０１の盤面などの対象部材の湾曲（曲率変動）を検出している間に遊技機に振動などの別の外力が加えられた場合にも、検出対象となる部材（遊技盤１０１の板面）の湾曲（曲率変動）のみを精度よく検出することができる。
【００５０】
またユニモルフ圧電素子２１０は、たとえばガラス枠１１０に取り付けてもよい。具体的には、たとえばガラス枠１１０の裏面の鉄板１１６に取り付けるとよい。鉄板１１６のような平面部分にユニモルフ圧電素子２１０を取り付けることにより、ユニモルフ圧電素子２１０を安定して取り付けることができる。ガラス枠１１０の一端側は外枠１１７に対する連結部分によってその位置が常時固定されているため、ガラス枠１１０をこじ開けようとした場合には、ガラス枠１１０の他端側にこじ開けようとする外力が作用することが想定される。また、この外力は、ユニモルフ圧電素子２１０が曲率変動を開始してから終了するまでに所定時間継続（断続）して作用することが想定される。そして、このような状況では、ガラス枠１１０には、ガラス枠１１０の他端側を手前側に屈曲させるような力がはたらき、同様な力が鉄板１１６に対してもはたらくと考えられ、ユニモルフ圧電素子２１０を鉄板１１６に取り付けることでガラス枠１１０をこじ開けようとしていることを精度よく検出することができる。
【００５１】
またユニモルフ圧電素子２１０は、たとえば遊技盤１０１を支持する遊技盤保持枠１１９に取り付けてもよい。具体的には、たとえば遊技盤保持枠１１９の内周面に取り付けるとよい。さらに、遊技盤保持枠１１９において、鉄板１１６に対向する位置に取り付けるとよい。
【００５２】
上記のように、ガラス枠１１０をこじ開けようとした場合に鉄板１１６が屈曲する際、支点となる屈曲位置には大きな加重が加わり、この加重がガラス枠１１０を介して遊技盤保持枠１１９（あるいは外枠１１７）に加わることが想定される。また、この外力は、ユニモルフ圧電素子２１０が曲率変動を開始してから終了するまでに所定時間継続（断続）して作用することが想定される。そして、このような状況では、遊技盤保持枠１１９（あるいは外枠１１７）において加重が加わった部分が変形すると考えられ、ユニモルフ圧電素子２１０を遊技盤保持枠１１９に取り付けることでガラス枠１１０をこじ開けようとしていることを精度よく検出することができる。
【００５３】
またユニモルフ圧電素子２１０は、たとえば遊技盤保持枠１１９を保持する外枠１１７に取り付けてもよい。具体的には、たとえば上記の理由から鉄板１１６の近傍であってもよい。また、具体的には、たとえば遊技盤１０１を支持する遊技盤保持枠１１９において、左右方向における他端側（たとえば遊技機に正対して右側）であって、大入賞口１０１ａあるいは始動入賞口１０３と同程度の高さとなる位置に取り付けるとよい。
【００５４】
ガラス枠１１０をこじ開ける場合、たとえばガラス枠１１０と外枠１１７との間にドライバーなどの工具あるいはそれに準ずる部材を挿入し、梃子のように使用することが想定される。また、この外力は、ユニモルフ圧電素子２１０が曲率変動を開始してから終了するまでに所定時間継続（断続）して作用することが想定される。そして、このような状況では、外枠１１７において梃子の支点となる位置に大きな加重が加わり、この加重によって外枠１１７（あるいはガラス枠１１０）が変形すると考えられ、ユニモルフ圧電素子２１０を外枠１１７に取り付けることでガラス枠１１０をこじ開けようとしていることを精度よく検出することができる。
【００５５】
図３は、遊技盤１０１の盤面の曲率変動を検出する構成を示すブロック図である。図３において、遊技盤１０１の盤面の曲率変動は、曲率変動検出部３００を用いて検出することができる。曲率変動検出部３００は、ユニモルフ圧電素子２１０と、インピーダンス変換素子３０１と、増幅器３０２と、バンドパスフィルタ３０３と、比較器３０４と、異常通報器３０５と、によって構成される。
【００５６】
インピーダンス変換素子３０１は、ユニモルフ圧電素子２１０から出力された電圧のインピーダンス変換をおこなう。インピーダンスは、交流回路における電圧と電流との比である。インピーダンス変換素子３０１としては、たとえばＦＥＴ（Ｆｉｅｌｄ  ｅｆｆｅｃｔ  ｔｒａｎｓｉｓｔｏｒ）などの高入力インピーダンス変換素子を用いることが可能である。
【００５７】
なお、インピーダンスおよびインピーダンス変換については公知の技術であるためここでは説明を省略する。インピーダンス変換素子３０１は、インピーダンス変換結果（電圧値）を後段の増幅器３０２へ出力する。増幅器３０２は、インピーダンス変換素子３０１から出力された電圧値を増幅し、後段のバンドパスフィルタ３０３へ出力する。
【００５８】
この実施の形態のように、直径１０ｍｍ程度のユニモルフ圧電素子２１０の静電容量はおおよそ１０ナノファラド前後である。そして増幅器３０２を入力インピーダンス１ＭΩ程度と高入力とした場合であってもカットオフ周波数は１６Ｈｚ前後である。このような増幅器３０２を用いた場合、この実施の形態の大きさのユニモルフ圧電素子２１０から出力された電圧値を直接増幅する構成では数Ｈｚ以下の低周波数帯域における信号を検出することが困難となる。
【００５９】
この実施の形態の遊技機においては、ユニモルフ圧電素子２１０から出力された電圧値を高入力のインピーダンス変換素子３０１を用いてインピーダンス変換し、インピーダンス変換後の電圧値を増幅する構成としているため、一定のゲート高抵抗を用いて低周波数帯域における信号を精度よく検出することができる。
【００６０】
バンドパスフィルタ３０３は、増幅器３０２によって増幅された電圧値をフィルタリングして、０．１Ｈｚ〜５Ｈｚ以外の成分を除外し比較器３０４側へ通過させる。こじ開け行為に起因する電圧値はおおよそ０．１Ｈｚ〜５Ｈｚの周波数範囲であり、バンドパスフィルタ３０３によって０．１Ｈｚ〜５Ｈｚ以外の成分を除外することにより、増幅器３０２によって増幅された電圧値成分の中からこじ開け行為に起因する成分のみを抽出することができる。こじ開け行為に起因する成分とは、上述したこじ開け行為によって遊技盤１０１が所定時間以上の時間をかけて変形した場合にユニモルフ圧電素子２１０から出力される電圧値である（図４を参照）。
【００６１】
比較器３０４は、比較用の閾値を記憶する図示しない記憶領域を備え、記憶領域に記憶された比較用の閾値とフィルタリングによって得られた電圧信号における波形パターンとを比較する。そして、比較器３０４は、比較結果に応じた信号を後段の異常通報器３０５へ出力する。比較用の閾値は、電圧値と時間とによってあらわされる波形パターンにおいて、一連の波形パターンの時間幅（所定時間）とピークの最大振幅（所定閾値）とをあらわす。
【００６２】
ここで、一連とは、ユニモルフ圧電素子２１０から出力される電圧信号が変化しはじめてからその変化が収束するまでをあらわす。収束したか否かは、たとえばユニモルフ圧電素子２１０から出力される電圧信号の振幅が、０電位を基準とする所定範囲内に収まったか否かに応じて判断することができる（図４を参照）。電圧信号の振幅は、たとえば電源周波数に起因するハム（ノイズ）のみが検出される場合に、０電位を基準とする所定範囲内に収まる。
【００６３】
上述したように、こじ開け行為は、隙間をつくるために大きな力をかける必要があるが、その大きな力を瞬間的にかけた場合に発生する大きな音が周囲に不正行為を気付かせる原因となることを避けるため、比較的時間をかけてゆっくりおこなわれると想定されるため、所定時間は、遊技盤１０１とガラス枠との間に隙間をつくり、かつそのこじ開け行為が周囲に怪しまれることなく完了できる程度の時間に設定されている。所定時間は、具体的にはたとえば「時間幅：０．１ｓｅｃ」などのように設定される。
【００６４】
また、所定閾値は、こじ開け行為に際して遊技盤１０１が最低限変形した場合にユニモルフ圧電素子２１０から出力される電圧値に設定され、具体的にはたとえば「最大振幅：±０．１Ｖ」などのように設定される。比較用の閾値（所定時間および所定閾値など）は、たとえば遊技機の製造時に任意に設定することが可能である。
【００６５】
具体的には、比較器３０４は、フィルタリングによって得られた電圧信号における一連の波形パターンの開始から終了までの時間幅と、比較用の閾値としての所定時間（たとえば０．１ｓｅｃ）と、を比較する。そして、電圧信号における時間幅が所定時間以上である場合にその旨を示す信号を後段の異常通報器３０５へ出力する。
【００６６】
また、比較器３０４は、電圧信号における時間幅が所定時間以上である場合に、フィルタリングによって得られた電圧信号における一連の波形パターンの最大値と比較用の閾値（たとえば、±０．１Ｖ）とを比較する。そして、電圧信号における最大値が所定閾値以上である場合にその旨を示す信号を後段の異常通報器３０５へ出力してもよい。
【００６７】
比較器３０４は、具体的にはたとえば、ユニモルフ圧電素子２１０から出力された電圧信号における時間幅が所定時間以上である場合にパルス信号を出力する。また、比較器３０４は、具体的にはたとえば、上記の電圧信号における時間幅が所定時間以上であってかつ当該電圧信号における最大値が所定閾値以上である場合に、パルス信号を出力してもよい。
【００６８】
異常通報器３０５は、比較器３０４からの出力結果に基づいて異常通報信号を出力する。異常通報器３０５が、たとえば図示しないスピーカに対して異常通報信号を出力した場合、スピーカからは「エラーが発生しました。係員を呼んでください。」などの音声が出力される。また、異常通報器３０５が、たとえば演出制御基板に対して異常通報信号を出力した場合、図示しない演出制御基板によって異常通報用の演出がおこなわれる。
【００６９】
曲率変動検出部３００におけるインピーダンス変換素子３０１と、増幅器３０２と、バンドパスフィルタ３０３と、比較器３０４と、異常通報器３０５は、インピーダンス変換素子３０１、増幅器３０２、バンドパスフィルタ３０３、比較器３０４、異常通報器３０５の各機能を実現するプログラムを記憶するＲＯＭと、ＲＯＭに記憶されたプログラムに基づいて各種の演算処理を実行するＣＰＵと、ＣＰＵの演算処理時におけるデータのワークエリアとして機能するＲＡＭなどによって構成されるマイクロコンピュータなどによって実現することができる。
【００７０】
なお、インピーダンス変換素子３０１、増幅器３０２、バンドパスフィルタ３０３、比較器３０４、異常通報器３０５によって実現される各機能は、単一のマイクロコンピュータによって実現するものに限らず、たとえば、各部の機能を各々別個に実現するマイクロコンピュータ（回路）を組み合わせることによって実現してもよい。
【００７１】
つぎに、遊技機に対するこじ開け行為に起因する成分について詳細に説明する。図４は、ユニモルフ圧電素子２１０から出力された電圧信号の波形パターンを示すグラフである。図４においては、こじ開け行為があった場合にユニモルフ圧電素子２１０が出力する電圧信号を示している。図４において、こじ開け行為があった場合、ユニモルフ圧電素子２１０は一定の時間（上記所定時間以上の時間）をかけて電圧値が変動する電圧信号を出力する。
【００７２】
こじ開け行為によって遊技盤１０１に対して遊技盤１０１の盤面に交差する方向への外力が加えられると、遊技盤１０１の盤面は当該盤面の曲率を変動させるようにして変形（湾曲）する。上述したように、ユニモルフ圧電素子２１０はユニモルフ圧電素子２１０を構成する略円板形状の金属板２１２が遊技盤１０１に密着した状態となるように設けられているため、こじ開け行為によって遊技盤１０１が盤面に交差する方向に変形すると、遊技盤１０１の盤面の曲率が変動し、この曲率変動にともなってユニモルフ圧電素子２１０が変形する。このように、こじ開け行為があった場合、ユニモルフ圧電素子２１０は一定の時間（上記所定時間以上の時間）をかけて電圧値が変動する電圧信号を出力する。
【００７３】
つぎに、この発明にかかる遊技機の機能的構成について説明する。図５は、この発明にかかる遊技機の機能的構成を示すブロック図である。図５において、遊技機は、検出部５０１と、計時部５０２と、判断部５０３と、記憶部５０４と、出力部５０５と、打出部５０６と、演出部５０７と、を備えている。
【００７４】
検出部５０１は、遊技盤１０１の盤面の経時的な曲率変動量を連続して検出する。具体的には、検出部５０１は、ユニモルフ圧電素子２１０から出力された電圧信号をインピーダンス変換素子３０１によってインピーダンス変換し、インピーダンス変換された電圧信号を増幅器３０２によって増幅する。そして、増幅された電圧信号をバンドパスフィルタ３０３によってフィルタリングして得られる電圧値を、経時で連続して取得することによって遊技盤１０１の盤面の経時的な曲率変動量を検出する。
【００７５】
検出部５０１は、図３に示した曲率変動検出部３００を構成するユニモルフ圧電素子２１０、インピーダンス変換素子３０１、増幅器３０２およびバンドパスフィルタ３０３によってその機能を実現することができる。すなわち、検出部５０１は、具体的には、たとえばユニモルフ圧電素子２１０から出力される電圧信号に基づいて、図３に示した曲率変動検出部３００を構成するマイクロコンピュータが備えるＲＯＭやＲＡＭなどのメモリに記憶されたプログラムのうち曲率変動量の検出に関するプログラムを、当該マイクロコンピュータが備えるＣＰＵが実行することによってその機能を実現することができる。
【００７６】
計時部５０２は、検出部５０１による検出結果に基づいて、一連の曲率変動の開始から終了までの時間幅を計時する。計時部５０２は、ユニモルフ圧電素子２１０から出力された電圧信号が０電位を基準とする所定範囲外となった時点から、当該電圧信号が任意の所定時間以上連続して所定範囲内となる時点までの時間を時間幅として計時する。計時部５０２は、具体的には、たとえば図３に示した曲率変動検出部３００を構成するマイクロコンピュータが備えるＣＰＵが有するタイマ機能によってその機能を実現することができる。
【００７７】
判断部５０３は、計時部５０２による計時結果および記憶部５０４に記憶された比較用の閾値に基づいて、計時部５０２によって計時された時間幅が所定時間以上であるか否かを判断する。判断部５０３は、具体的にはたとえば、比較器３０４からパルス信号が出力されたか否かをもって、計時部５０２によって計時された時間幅（すなわち遊技盤１０１の変形にかかった時間）が所定時間以上であるか否かを判断する。
【００７８】
また、判断部５０３は、比較器３０４からパルス信号が出力されたか否かをもって、計時部５０２によって計時された時間幅（すなわち遊技盤１０１の変形にかかった時間）が所定時間以上であって、かつ、遊技盤１０１の盤面の曲率変動量が所定閾値を超えるか否かを判断してもよい。
【００７９】
記憶部５０４は、具体的には、たとえば図３に示した曲率変動検出部３００を構成するマイクロコンピュータが備えるＲＯＭやＲＡＭなどのメモリによってその機能を実現することができる。判断部５０３は、具体的には、たとえば図３に示した曲率変動検出部３００を構成するマイクロコンピュータが備えるＲＯＭやＲＡＭなどのメモリに記憶されたプログラムのうち時間幅の判定に関するプログラムを、当該マイクロコンピュータが備えるＣＰＵが実行することによってその機能を実現することができる。
【００８０】
出力部５０５は、判断部５０３によって判断された判断結果を打出部５０６および演出部５０７に出力する。出力部５０５は、たとえば比較器３０４からパルス信号が出力された場合に異常通報器３０５に異常通報信号を出力させることによって、判断結果を打出部５０６および演出部５０７に出力する。すなわち、異常通報信号は、遊技盤１０１が所定時間以上をかけて変形した場合に出力されることとなる。
【００８１】
出力部５０５は、具体的には、たとえば図３に示した曲率変動検出部３００を構成するマイクロコンピュータが備えるＲＯＭやＲＡＭなどのメモリに記憶されたプログラムのうち判断結果の出力に関するプログラムを、当該マイクロコンピュータが備えるＣＰＵが実行することによってその機能を実現することができる。
【００８２】
打出部５０６は、遊技者などによってハンドル１０９が操作された場合に遊技領域１０５に遊技球を打ち出す。また、打出部５０６は、出力部５０５によって出力された出力結果に基づいて遊技球の打ち出し動作を停止させる。打出部５０６は、たとえば、遊技盤１０１が所定時間以上をかけて変形した場合に遊技球の打ち出し動作を停止させる。打出部５０６は、具体的にはたとえば球送り出し機構部１１１によってその機能を実現することができる。
【００８３】
演出部５０７は、所定の演出をおこなう。演出部５０７は、たとえば、始動入賞口１０３における入賞の有無に応じた通常の演出をおこない、大当たり状態になった場合には大当たり演出をおこなう。また、演出部５０７は、遊技盤１０１が所定時間以上をかけて変形した場合に、異常通報用の演出を実行する。異常通報用の演出は、具体的にはたとえば演出用のＬＥＤの発光輝度を高めたり、点滅頻度を通常時よりも多くしたりあるいは点灯し続けたりする。
【００８４】
また、異常通報用の演出は、具体的にはたとえば図示しないスピーカから「ピーピーピー」という演出の進行に無関係な音声を出力したり、「扉が開いています。店員をお呼びください。」などの音声ガイダンスを出力したりすることによりおこなう。演出部５０７は、演出制御部を構成するＲＯＭ、ＲＡＭなどのメモリに記憶されたプログラムを、当該マイクロコンピュータが備えるＣＰＵが実行することによってその機能を実現することができる。
【００８５】
つぎに、遊技機の処理手順について説明する。図６は、遊技機の処理手順を示すフローチャートである。図６において、まず、ユニモルフ圧電素子２１０から出力された電圧信号に基づいて、遊技盤１０１の盤面の曲率変動があるまで待って（ステップＳ６０１：Ｎｏ）、曲率変動があった場合（ステップＳ６０１：Ｙｅｓ）は曲率変動が開始してからの経過時間の計時を開始する（ステップＳ６０２）。
【００８６】
つぎに、ユニモルフ圧電素子２１０から出力された電圧信号に基づいて、遊技盤１０１の盤面の一連の曲率変動が終了したか否かを判断する（ステップＳ６０３）。ステップＳ６０３においては、ユニモルフ圧電素子２１０から出力される電圧信号の振幅が０電位を基準とする所定範囲内に収まっている時間があらかじめ設定された一定時間以上連続したか否かを判断することによって、一連の曲率変動が終了したか否かを判断する。
【００８７】
ステップＳ６０３においては、一連の曲率変動が終了するのを待つ（ステップＳ６０３：Ｎｏ）。ステップＳ６０３においては、ユニモルフ圧電素子２１０から出力される電圧信号の振幅が０電位を基準とする所定範囲内に収まった時間が、あらかじめ設定された一定時間以上連続したことをもって、一連の曲率変動が終了したと判断する。また、ステップＳ６０３においては一連の曲率変動が終了した場合に、ステップＳ６０２において開始した計時を終了する。
【００８８】
ステップＳ６０３において、一連の曲率変動が終了した場合（ステップＳ６０３：Ｙｅｓ）は、ステップＳ６０２において計時を開始した一連の曲率変動時に出力された電圧信号に基づいて、電圧値が所定の閾値を超えたか否かを判断する（ステップＳ６０４）。超えていない場合（ステップＳ６０４：Ｎｏ）は、一連の処理を終了する。
【００８９】
ステップＳ６０４において、一連の曲率変動時に出力された電圧信号における電圧値が所定の閾値を超えた場合（ステップＳ６０４：Ｙｅｓ）は、ステップＳ６０２において計時を開始してからステップＳ６０３：Ｙｅｓにおいて一連の曲率変動が終了するまでの時間幅が所定時間以上であるか否かを判断する（ステップＳ６０５）。所定時間以上ではない場合（ステップＳ６０５：Ｎｏ）は、一連の処理を終了する。
【００９０】
ステップＳ６０５において、時間幅が所定時間以上である場合（ステップＳ６０５：Ｙｅｓ）は、こじ開け行為がおこなわれている疑いがあると判断できるので、ハンドル１０９が操作されることによる球送り出し機構部１１１に対する発射指示があったか否かを判断する（ステップＳ６０６）。そして、発射指示があった場合（ステップＳ６０６：Ｙｅｓ）は、球送り出し機構部１１１による発射動作を停止し（ステップＳ６０７）、一連の処理を終了する。ステップＳ６０７においては、球送り出し機構部１１１による発射動作を停止することに加えて、演出制御部によって異常通報用の演出を実行してもよい。
【００９１】
一方、ステップＳ６０６において、こじ開け行為がおこなわれている疑いがあると判断できる状況であっても球送り出し機構部１１１に対する発射指示がない場合（ステップＳ６０６：Ｎｏ）は、演出制御部によって異常通報用の演出を実行して（ステップＳ６０８）、一連の処理を終了する。これによって、ハンドル１０９が操作されていない状態であってもこじ開け行為の疑いがある遊技機を、当該遊技機の周囲の顧客や店員などの目に触れやすくして、こじ開け行為をともなう不正行為を防止することができる。
【００９２】
なお、この実施の形態の遊技機においては、ステップＳ６０５において一連の曲率変動に要した時間幅が所定時間以上であるか否かを判断し、当該時間幅が所定時間以上である場合をこじ開け行為がおこなわれている疑いがあると判断するようにしたが、これに限るものではない。一連の曲率変動に要した時間幅が、あらかじめ設定された所定の時間範囲内にある場合をこじ開け行為がおこなわれている疑いがあると判断するようにしてもよい。
【００９３】
具体的には、たとえば一連の曲率変動に要した時間幅が所定時間以上である場合は、球送り出し機構部１１１に対する発射指示があったか否かを判断する前に、一連の曲率変動に要した時間幅が別途設定された第２の所定時間以内であるか否かを判断する。第２の所定時間は、たとえば「１時間」あるいは「２４時間」などのように、こじ開け行為以外の原因（たとえば遊技盤１０１の経時劣化など）によって遊技盤１０１が変形したと判断できる時間である。
【００９４】
そして、一連の曲率変動に要した時間幅が第２の所定時間以内である場合をこじ開け行為がおこなわれている疑いがあると判断する。この場合は遊技盤１０１が変形した場合にもすべての変形をこじ開け行為によるものとは判断しないので、たとえば所定時間以上継続して徐々に変形した場合は除外される。これによって、こじ開け行為を一層精度よく検出し、発見することができる。
【００９５】
上述したように、この発明にかかる実施の形態の遊技機によれば、所定時間以上をかけて遊技盤１０１が湾曲（変形）したことを精度よく検出することができる。これによって、正常に遊技をおこなっている遊技者に不快感を与えたり遊技に支障をきたしたりすることなく、こじ開け行為あるいはこじ開け行為をともなう不正行為が疑われる遊技機を発見しやすくし、あるいは不正を抑制することができる。
【００９６】
また、一連の曲率変動の時間幅が所定時間以上であるか否かに加えて、一連の曲率変動における電圧値の最大値が所定閾値を超えるか否かをもってこじ開け行為の有無を判断することにより、こじ開け行為などの不正行為が疑われる程度に遊技盤が変形したことを一層精度よく検出することができる。
【００９７】
また、この発明にかかる実施の形態の遊技機によれば、遊技盤１０１の盤面の湾曲方向に拘わらず所定の時間以上をかけて遊技盤１０１が湾曲（変形）したことを、１つのユニモルフ圧電素子２１０で精度よく検出することができる。これによって、簡易な構成によって、正常に遊技をおこなっている遊技者に不快感を与えたり遊技に支障をきたしたりすることなく、こじ開け行為あるいはこじ開け行為をともなう不正行為が疑われる遊技機を発見しやすくし、あるいは不正を抑制することができる。
【００９８】
上記においては、一例としてユニモルフ圧電素子２１０が遊技盤１０１の盤面の曲率変動を検出可能な状態で取り付けられている場合について説明したが、たとえばユニモルフ圧電素子２１０をガラス枠１１０に取り付けた場合には、ガラス枠１１０が所定時間以上をかけて湾曲（変形）したことを精度よく検出することができる。そして、この場合にも一連の曲率変動の時間幅が所定時間以上であるか否かに加えて、一連の曲率変動における電圧値の最大値が所定閾値を超えるか否かをもってこじ開け行為の有無を判断することにより、こじ開け行為などの不正行為が疑われる程度に遊技盤が変形したことを一層精度よく検出することができる。
【００９９】
また、ユニモルフ圧電素子２１０を遊技盤保持枠１１９に取り付けた場合には、遊技盤保持枠１１９が所定時間以上をかけて湾曲（変形）したことを精度よく検出することができる。これによって、遊技盤保持枠１１９を湾曲（変形）させることによる不正がおこなわれている可能性のある遊技機を精度よ発見することができる。そして、この場合にも一連の曲率変動の時間幅が所定時間以上であるか否かに加えて、一連の曲率変動における電圧値の最大値が所定閾値を超えるか否かをもってこじ開け行為の有無を判断することにより、こじ開け行為などの不正行為が疑われる程度に遊技盤が変形したことを一層精度よく検出することができる。
【０１００】
さらに、ユニモルフ圧電素子２１０を外枠１１７に取り付けた場合には、外枠１１７が所定時間以上をかけて湾曲（変形）したことを精度よく検出することができる。これによって、外枠１１７を湾曲（変形）させることによる不正がおこなわれている可能性のある遊技機を精度よ発見することができる。そして、この場合にも一連の曲率変動の時間幅が所定時間以上であるか否かに加えて、一連の曲率変動における電圧値の最大値が所定閾値を超えるか否かをもってこじ開け行為の有無を判断することにより、こじ開け行為などの不正行為が疑われる程度に遊技盤が変形したことを一層精度よく検出することができる。
【０１０１】
このように、遊技盤１０１の盤面以外が湾曲（変形）したことを検出する構成とした場合、遊技盤１０１に直接不正な行為がなされる以前、すなわち遊技盤１０１に不正な行為をおこなうためにガラス枠１１０をこじ開けようとしている時点で外を湾曲（変形）させることによる不正がおこなわれている可能性のある遊技機を精度よ発見することができる。
【０１０２】
また、この発明にかかる実施の形態の遊技機によれば、こじ開け行為がおこなわれている疑いがある場合にはこじ開け行為がおこなわれている可能性がある遊技機における遊技の進行を規制することができるので、こじ開け行為あるいはこじ開け行為をともなう不正行為が疑われる遊技機を発見しやすくし、あるいは不正を抑制することができる。
【０１０３】
また、この発明にかかる実施の形態の遊技機によれば、こじ開け行為をともなう不正行為が疑われる遊技機を当該遊技機の周囲の客などに意識させることなく、遊技機を設置した店舗の店員などにそれとなく知らしめることができる。これによって過度に目立たせることなくこじ開け行為をともなう不正行為が疑われる遊技機を発見しやすくするとともに、以降の不正行為を抑制することができる。
【０１０４】
以上説明したように、この発明にかかる実施の形態の遊技機および異常検出方法によれば、正常に遊技をおこなっている遊技者に不快感を与えたり遊技に支障をきたしたりすることなくこじ開け行為あるいはこじ開け行為をともなう不正行為が疑われる遊技機を発見しやすくし、あるいは不正行為を抑制することができるという効果を奏する。
【０１０５】
なお、この実施の形態で説明した異常検出方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１０６】
以上のように、この発明にかかる遊技機および異常検出方法は、遊技球が打ち出される遊技領域が設けられた遊技盤を備える遊技機、当該遊技機における遊技盤および当該遊技盤を支持する支持部材の少なくともいずれかの異常を検出する異常検出方法に有用であり、特に、ぱちんこ遊技機などのように遊技盤がガラス枠でカバーされた遊技機および当該遊技機における異常検出方法に適している。
【図面の簡単な説明】
【０１０７】
【図１−１】この発明の遊技機の一例を示す説明図（その１）である。
【図１−２】この発明の遊技機の一例を示す説明図（その２）である。
【図１−３】この発明の遊技機の一例を示す説明図（その３）である。
【図１−４】この発明の遊技機の一例を示す説明図（その４）である。
【図１−５】この発明の遊技機の一例を示す説明図（その５）である。
【図１−６】この発明の遊技機の一例を示す説明図（その６）である。
【図１−７】この発明の遊技機の一例を示す説明図（その７）である。
【図１−８】この発明の遊技機の一例を示す説明図（その８）である。
【図１−９】この発明の遊技機の一例を示す説明図（その９）である。
【図２−１】ユニモルフ圧電素子を示す説明図（その１）である。
【図２−２】ユニモルフ圧電素子を示す説明図（その２）である。
【図３】遊技盤の盤面の曲率変動を検出する構成を示すブロック図である。
【図４】ユニモルフ圧電素子から出力された電圧信号の波形パターンを示すグラフである。
【図５】この発明にかかる遊技機の機能的構成を示すブロック図である。
【図６】遊技機の処理手順を示すフローチャートである。
【符号の説明】
【０１０８】
１０１  遊技盤
１０５  遊技領域
１１０  ガラス枠
１１４  ガラス板
１１６  鉄板
１１７  外枠（機枠）
１１９  遊技盤保持枠
２１０  ユニモルフ圧電素子
２１１  圧電素子
２１２  金属板
３０１  インピーダンス変換素子
５０１  検出部
５０２  計時部
５０３  判断部
５０４  記憶部
５０５  出力部
５０６  打出部
５０７  演出部
【図１−１】
0004759594.tif 000002
【図１−２】
0004759594.tif 000003
【図１−３】
0004759594.tif 000004
【図１−４】
0004759594.tif 000005
【図１−５】
0004759594.tif 000006
【図１−６】
0004759594.tif 000007
【図１−７】
0004759594.tif 000008
【図１−８】
0004759594.tif 000009
【図１−９】
0004759594.tif 000010
【図２−１】
0004759594.tif 000011
【図２−２】
0004759594.tif 000012
【図３】
0004759594.tif 000013
【図４】
0004759594.tif 000014
【図５】
0004759594.tif 000015
【図６】
0004759594.tif 000016